(57)【要約】【課題】ファイバトレイでの余長処理構造に関係なく、光ファイバの終端を光受信増幅部に簡単に接続する。【解決手段】ファイバトレイ３上に一定間隔を隔てて第１巻き付け部１１と第２巻き付け部１２とが設けられる。第１及び第２の巻き付け部１１，１２の間に、それらの間に巻き付けられた光ファイバ１００Ａ，１００Ｂより下側位置で、光受信増幅部６の光中継用アダプタ６ａに、光ファイバ１００Ａの端部の光コネクタ１００ａを接続するために開口３ｆに案内する案内凹部２１が形成されている。案内凹部２１は、第１の巻き付け部１１と第２の巻き付け部１２との中心を結ぶ線に対して傾斜して設けられると共に、底面の高さが開口３ｆに向かって徐々に低くなるようにも傾斜している。【選択図】  図４
2006119238.tif 000002
【特許請求の範囲】
【請求項１】
一面が開放される本体ケーシングの内部に電源部と光信号を電気信号に変換して増幅する光受信増幅部とが設けられ、前記本体ケーシングの前記一面側にファイバトレイが取り外し可能に嵌め込まれ、前記ファイバトレイに光ファイバの余長部分を巻き付けて収納すると共に、前記光受信増幅部の光中継用アダプタに前記光ファイバの端部の光コネクタが前記ファイバトレイの開口を通じて接続される光受信機の光ファイバ終端処理構造において、
前記ファイバトレイ上には、平面視で円形状の第１の巻き付け部と第２の巻き付け部とが一定間隔を隔てて配置され、
前記第１及び第２の巻き付け部の間に、それらの間に巻き付けられた光ファイバより下側位置で、前記光ファイバの端部の光コネクタを前記開口に案内する案内凹部が形成されていることを特徴とする光受信機の光ファイバ終端処理構造。
【請求項２】
前記案内凹部は、前記第１の巻き付け部と第２の巻き付け部との中心を結ぶ線に対して傾斜して設けられると共に、底面の高さが前記開口に向かって徐々に低くなるように傾斜している請求項１記載の光受信機の光ファイバ終端処理構造。
【請求項３】
前記ファイバトレイに導入される光ケーブルは、放送系の光ファイバと通信系の光ファイバとに分けられ、前記第２の巻き付け部には、通信系の光ファイバを案内する第２の案内部が形成され、この第２の案内部によって前記通信系の光ファイバが、前記第２の巻き付け部に巻き付けられる放送系の光ファイバの上側を通って外部に導かれる構成とされている請求項１又は２記載の光受信機の光ファイバ終端処理構造。
【請求項４】
前記第１及び第２の巻き付け部に、各巻き付け部からの光ファイバの離脱を防止するためのひさし状の水平リブが設けられており、
前記通信系の光ファイバが外部に導かれる部分の両側に設けられる水平リブは、他の部分に設けられる水平リブよりも低い位置に設けられている請求項３記載の光受信機の光ファイバ終端処理構造。
【発明の詳細な説明】
【技術分野】
【０００１】
本発明は、光受信機の光ファイバ終端処理構造に関するものである。
【背景技術】
【０００２】
屋外からの光ファイバを屋内に引き込むための装置として、光受信機（ＦＴＴＨ端末機）が知られている。この光受信機は、放送系の光ファイバにて入力される光信号を光受信増幅部にて電気信号に変換し増幅して出力するものである。
【０００３】
そのような光受信機においては、接合・結線作業するためには数十ｃｍ程度の余長が必要である。一方、そのような接合・結線作業はファイバトレイ上で行うため、そのファイバトレイ上には光ファイバを引き回し収納する構造が必要になる。そして、光受信機の内部において、光ファイバの接合・結線作業を行う場合には、光ファイバは様々な長さの余長を取ることがあるので、それらの光ファイバを引き回すための適用範囲の広い収納パターンを持つファイバトレイが求められている。
【０００４】
従来の光受信機において、搭載しているファイバトレイに第１及び第２の巻回部を設け、それらの間に光ファイバを引き回すものは知られている（例えば、特許文献１参照）。
【特許文献１】特開２００４−２５１９６８号公報（段落００２０〜００２２及び図１１）
【発明の開示】
【発明が解決しようとする課題】
【０００５】
このように光受信機では、ファイバトレイにおいて光ファイバを引き回し、余長処理を行っているので、このような引き回されている光ファイバの余長収納構造との関係を考慮して、光ファイバの終端を前記光受信増幅部に無理なく接続する必要がある。
【０００６】
この発明は、ファイバトレイでの余長収納構造に関係なく、光ファイバの終端（の光コネクタ）を光受信増幅部（の光中継用アダプタ）に簡単に接続することができる光受信機の光ファイバ終端処理構造を提供することを目的とする。
【課題を解決するための手段】
【０００７】
請求項１の発明は、一面が開放される本体ケーシングの内部に電源部と光信号を電気信号に変換して増幅する光受信増幅部とが設けられ、前記本体ケーシングの前記一面側にファイバトレイが取り外し可能に嵌め込まれ、前記ファイバトレイに光ファイバの余長部分を巻き付けて収納すると共に、前記光受信増幅部の光中継用アダプタに前記光ファイバの端部の光コネクタが前記ファイバトレイの開口を通じて接続される光受信機の光ファイバ終端処理構造において、前記ファイバトレイ上には、平面視で円形状の第１の巻き付け部と第２の巻き付け部とが一定間隔を隔てて配置され、前記第１及び第２の巻き付け部の間に、それらの間に巻き付けられた光ファイバより下側位置で、前記光ファイバの端部の光コネクタを前記開口に案内する案内凹部が形成されていることを特徴とする。
【０００８】
このようにすれば、第１及び第２の巻き付け部の間に形成された案内凹部によって、それら両巻き付け部の間に巻き付けられた光ファイバより下側位置で開口に案内することで、スペース（第１及び第２の巻き付け部の間のスペース）を有効に利用して、光ファイバの余長部分と干渉することなく、光受信増幅部の光中継用アダプタに、前記光ファイバの端部の光コネクタを接続することができる。よって、無理なく、光受信機において光ファイバの余長処理と終端処理との両立が図れる。
【０００９】
請求項２に記載のように、前記案内凹部は、前記第１の巻き付け部と第２の巻き付け部との中心を結ぶ線に対して傾斜して設けられると共に、底面の高さが前記開口に向かって徐々に低くなるように傾斜していることが望ましい。
【００１０】
このようにすれば、第１の巻き付け部と第２の巻き付け部との中心を結ぶ線に対して傾斜して、例えば第２の巻き付け部の接線方向に延びるように光ファイバが配置されるので、光ファイバに無理な曲げ力を作用させることなく、終端処理ができる。
【００１１】
請求項３に記載のように、前記ファイバトレイに導入される光ケーブルは、放送系の光ファイバと通信系の光ファイバとに分けられ、前記第２の巻き付け部には、通信系の光ファイバを案内する第２の案内部が形成され、この第２の案内部によって前記通信系の光ファイバが、前記第２の巻き付け部に巻き付けられる放送系の光ファイバの上側を通って外部に導かれる構成とすることができる。
【００１２】
このようにすれば、通信系の光ファイバを、他の光ファイバの余長部分や終端部分と干渉することなく、光受信機から外部に導き出すことができる。
【００１３】
請求項４に記載のように、前記第１及び第２の巻き付け部に、各巻き付け部からの光ファイバの離脱を防止するためのひさし状の水平リブが設けられており、前記通信系の光ファイバが外部に導かれる部分の両側に設けられる水平リブは、他の部分に設けられる水平リブよりも低い位置に設けられていることが望ましい。
【００１４】
このようにすれば、光ファイバの余長部分が浮き上がるのが、低い位置の水平リブによって抑制され、放送系の光ファイバの余長部分と干渉することなく、通信系の光ファイバを外部に導き出すことができる。
【発明の効果】
【００１５】
以上のように構成したから、本発明は、第１及び第２の巻き付け部の間に形成された案内凹部によって、それら両巻き付け部の間に巻き付けられた光ファイバより下側位置で、光ファイバの余長部分と干渉することなく、光受信増幅部の光中継用アダプタに、前記光ファイバの終端の光コネクタを接続することができる。よって、無理なく、光受信機において光ファイバの余長処理と終端処理との両立を図ることができる。
【発明を実施するための最良の形態】
【００１６】
以下、本発明の実施の形態を図面に沿って説明する。
【００１７】
図１は本発明に係る光受信機の分解斜視図、図２は光受信機のケーシングカバーが開放された状態の側面図、図３はファイバトレイ及びケーシングカバーを取り外した状態を示す平面図、図４は図３のIV-IV線における断面図である。
【００１８】
図１〜図４に示すように、光受信機１は、一面（図１においては上面）が開放される本体ケーシング２と、この本体ケーシング２の前記一面側に取り外し可能に嵌め込まれるファイバトレイ３と、本体ケーシング２に開閉可能に設けられたケーシングカバー４とを備える。本体ケーシング２の内部（図１においては底部）には、電源部５と、この電源部５によって電力を供給され（放送系の）光信号を電気信号に変換して増幅する光受信増幅部６とが設けられている。
【００１９】
光受信増幅部６は、この光受信増幅部６に光信号を受光するための光中継用アダプタ６ａを有し、この光中継用アダプタ６ａはシールドケース６ｂの上面に、支持部材６ｃを介して一定の角度をなすように取り付けられている。光中継用アダプタ６ａを介して入力された光信号は、光受信増幅部６において電気信号に変換され、増幅される。この増幅された電気信号は、シールドケース６ｂの下面部に設けられた出力端子８から出力される。この出力端子８から出力される電気信号をモニタするモニタ端子７が、シールドケース６ｂの下面部に出力端子８と並列に設けられている。なお、電気信号はテレビ放送信号であり、この電気信号は出力端子８から同軸ケーブル（図示せず）を介してテレビ受信機などに供給される。
【００２０】
本体ケーシング２の下面には、図３に示すように、モニタ端子７及び出力端子８がそれぞれ貫通される挿通孔２ａ，２ｂが形成されている。また、本体ケーシング２の両側面後部には、ケーシングカバー４を、ヒンジ片４ａの部分で回転可能に支持する一対の係合凸部２ｃが形成されている。また、ケーシングカバー４を本体ケーシング２に固着するためのネジが螺着される雌ネジ部２ｄが下面部側に設けられている。さらに、本体ケーシング２の下面部から下方へ、シールドケース６ｂのアース用突部６ｄが突出し、ねじ（図示せず）にて本体ケーシング２の下面部に取り付けられている。
【００２１】
電源部５及び光受信増幅部６を本体ケーシング２内の底面部に取付け、その内部に収納した状態において、本体ケーシング２の一面（開放面）を閉塞するように、内部カバーとして機能するファイバトレイ３が嵌め込まれている。
【００２２】
本体ケーシング２の下面部側からケーシング内方に１対の係合突部２ｋが突出しており、その係合突部２ｋに係脱可能に係合する１対の切り欠き部３ａがファイバトレイ３に形成されており、本体ケーシング２の上面部内に、ファイバトレイ３の後端部が係止される１対の係止部２ｅ（図３参照）が形成されている。よって、係合突部２ｋを切り欠き部３ａに係合させた状態で、ファイバトレイ３を本体ケーシング２上に嵌め込むと、ファイバトレイ３の上端部が係止部２ｅにて支持される。なお、係合突部２ｋが形成されている両側には、導入される光ケーブル１００を通すための切り欠き部２ｆと、電源部５から外部に延びる電源コード５ａを通す切り欠き部２ｇとが形成されている。なお、導入された光ケーブル１００は、ファイバの先端部分だけを簡単にコネクタ加工できる簡易コード化部材１０内で、放送系の光ファイバ１００Ａと通信系の光ファイバ１００Ｂとに分けられる。
【００２３】
また、ファイバトレイ３のほぼ中央部には貫通穴３ｂが形成され、本体ケーシング２に設けられたボス部２ｈに、貫通穴３ｂを通じてビスにて螺合することで、ファイバトレイ３が本体ケーシング２に固定される。
【００２４】
ファイバトレイ３の前面部は、図５に詳細を示すように、仕切壁部３ｃによって、光ケーブル１００が導入されるケーブル導入部Ｓ１と、光ファイバ１００Ａ，１００Ｂを巻き付けることにより、光ファイバ１００Ａ，１００Ｂの余長部分を収納する余長収納部Ｓ２とに区画されている。上下面には、それらの外周囲を規定する第１及び第２の湾曲壁部３ｄ，３ｅが形成されている。
【００２５】
ケーブル導入部Ｓ１においては、ファイバトレイ３の下面側には、光ケーブル１００が挿入される側に、簡易コード化部材１０を嵌合可能な第１の凹部Ｓ１１が、その第１の凹部Ｓ１１に連続して挿入される側とは反対側に、簡易コード化部材１０から引き出される光ファイバ１００Ａ，１００Ｂが収納される第２の凹部Ｓ１２が形成されている。
【００２６】
図５に示すように、ケーブル導入部Ｓ１に並んで設けられる余長収納部Ｓ２においては、ファイバトレイ３の底面部からそれに直交する方向に突出する板状の縦リブを組み合わせることによって、光ファイバ１００Ａ，１００Ｂの余長部分が巻き付けのために通る多彩な通路が形成されている。
【００２７】
具体的には、余長収納部Ｓ２には、第１の巻き付け部１１と第２の巻き付け部１２とが一定間隔を隔てて配置される。第２の巻き付け部１２は、第１の部分１２Ａと第２の部分１２Ｂに分割されており、それら部分１２Ａ，１２Ｂの間は、余長部分である光ファイバ１００Ａ，１００Ｂが配置可能な通路１３となっている。つまり、余長収納部Ｓ２において、第１の凹部Ｓ１１の隣側に第１の巻き付け部１１が、第２の凹部Ｓ１２の隣側に第２の巻き付け部１２がそれぞれ位置している。
【００２８】
また、第１の巻き付け部１１と第２の巻き付け部１２との間には、第１及び第２の案内部１４，１５が配置されている。これら案内部１４，１５は、第２の巻き付け部１２の第２の部分１２Ｂに巻き付ける際の光ファイバ１００Ａ，１００Ｂの曲率半径が、第２の巻き付け部１２の第１の部分１２Ａに巻き付ける際の曲率半径と同等又はそれよりも大きくなるように光ファイバ１００Ａ，１００Ｂを案内するものである。
【００２９】
ケーブル導入部Ｓ１と第１の案内部１４との間には、光ファイバ１００Ａ，１００Ｂを繋ぐ接続具１０２を保持可能である第１の保持部１６が配置され、ケーブル導入部Ｓ１と反対側に位置する第２の案内部１５の外側には、接続具１０２を保持可能である第２及び第３の保持部１７，１８が配置されている。この各保持部１６〜１８は、光ファイバ１００Ａ，１００Ｂの余長部分の長さに応じて適宜使い分けられる。なお、接続具１０２としては、周知のメカニカルスプライス（光ファイバーを溶かさないで機械的に接合するもの）または融着スリーブ（光ファイバを機械的に接合するのではなく、溶かして繋ぐもの）が用いられる。各保持部１６〜１８には、接続具１０２が外れにくいように１対の押圧フィン１６ａ〜１８ａが設けられている。
【００３０】
この第１〜第３の保持部１６〜１８は、第１の巻き付け部１１及び第２の巻き付け部１２に光ファイバ１００Ａ，１００Ｂを大きい長円状に巻き付けた場合の光ファイバ１００Ａ，１００Ｂの外側に位置するようになっており、第１〜第３の保持部１６〜１８を通る場合と、そうでない場合とで、収納できる余長部分の長さを変更できるようになっている。
【００３１】
また、第１及び第２の巻き付け部１１，１２の間には、それらの間に光ファイバ１００Ａ，１００Ｂが巻き付けられた場合にその光ファイバ１００Ａ，１００Ｂより下側位置で、光受信増幅部６の光中継用アダプタ６ａに、放送系の光ファイバ１００Ａの終端部の光コネクタ１００ａを着脱可能に接続するために案内する案内凹部２１が形成されている。
【００３２】
この案内凹部２１は、第１の巻き付け部１１と第２の巻き付け部１２との中心を結ぶ線に対して傾斜して設けられている。つまり、第２の巻き付け部１２の一側（ケーブル導入部Ｓ１とは反対側）から、第１の巻き付け部１１の他側（ケーブル導入部Ｓ１の側）に向かうように本体ケーシング２の前記両巻き付け部１１，１２の中心を結ぶ線に対して傾斜して延び、第１の巻き付け部１１の下側の開口３ｆに通じるように設けられている。そして、案内凹部２１の底面（ファイバトレイ３の底面でもある）は、開口３ｆに向かって（底面の）高さが徐々に低くなるように傾斜している。これにより、放送系の光ファイバ１００Ａの終端に設けられた光コネクタ１００ａを、第１及び第２の巻き付け部１１，１２より低い位置、すなわちファイバトレイ３の下側で光中継用アダプタ６ａに接続することができるようになる。
【００３３】
第１の巻き付け部１１は、図５に示すように、前側に向かって突出する円弧形状の縦リブ１１ａで外周部分が形成され、その内部に通信系の光ファイバ１００Ｂを案内する通路状の案内部２２が同様に縦リブ２２ａ，２２ｂによって形成され、通信系の光ファイバ１００Ｂが、第１の巻き付け部１１に巻き付けられる放送系の光ファイバ１００Ａの上側を通り、切り欠き部３ｈを通じて外部に導かれる構成とされている。つまり、第１の巻き付け部１１の外周部分を形成する円弧形状の縦リブ１１ａの途中に、通信系の光ファイバ１００Ｂを外部に導き出すための切り欠き部１１ｂが形成され、その切り欠き部１１ｂに案内部２２が通じている。
【００３４】
第２の巻き付け部１２は、前側に向かって突出する円弧形状の縦リブ１２Ａ１及びその縦リブ１２Ａ１の内側に位置しその縦リブ１２Ａ１より曲率半径が大きい縦リブ１２Ａ２にて構成される第１の部分１２Ａと、この第１の部分１２Ａの縦リブ１２Ａ２との間に、通路１３を形成する筒状の第２の部分１２Ｂとを有する。第２の部分１２Ｂは、縦リブ１２Ａ２と同様な曲率半径を有するがそれよりは短い円弧形状の縦リブ１２Ｂ１と、この円弧形状に対応した形状で反対側に突出するように湾曲した縦リブ１２Ｂ２とを有する。第２の巻き付け部１２の外周部分（縦リブ１２Ａ１，１２Ｂ２）は、第１の巻き付け部１１の外周部分とほぼ同じ曲率半径となっている。第１及び第２の巻き付け部１１，１２は、それらの半径が約３０ｍｍ以上とされ、巻き付けた光ファイバ１００Ａ，１００Ｂにおける光信号の伝送ロスが大きくならないようにしていると共に、その破断を防止している。
【００３５】
また、第１及び第２の巻き付け部１１，１２や案内部１４、保持部１６，１７には、各巻き付け部１１，１２や案内部１４、保持部１６，１７からの光ファイバ１００Ａ，１００Ｂが通る部分に対し光ファイバ１００Ａ，１００Ｂの離脱（浮き上がり）を防止するためのひさし状の水平リブ３１〜４２が、通路に向けて水平に突出するように設けられている。通路１３に対しても水平リブ４３〜４５が設けられている。第１及び第２の湾曲壁部３ｄ，３ｅには、経路の幅が広くなるので、前述した水平リブ３１〜４５よりも長い水平リブ４６〜４９が設けられている。そして、光ファイバ１００Ａ，１００Ｂが通る通路の幅に対して水平リブ３１〜４５，４６〜４９が長めになっているので、ファイバトレイ３を傾けても、光ファイバ１００Ａ，１００Ｂをしっかりと保持できる。また、第１の巻き付け部１１の外周部分であって通信系の光ファイバ１００Ｂが外部に導かれる部分の両側に設けられる水平リブ３２，３３は、他の部分に設けられる水平リブ３１、３４〜４９よりも低い位置に設けられ、通信系の光ファイバ１００Ｂが、他の光ファイバと干渉することなく外部に導き出されるようになっている。
【００３６】
第１及び第２の巻き付け部１１，１２と各保持部１６〜１８との間には、光ファイバ１００Ａ，１００Ｂを案内する板状の補助案内リブ５１〜５６がそれぞれ設けられている。
【００３７】
上記構成によれば、例えば図６に示すように、光ケーブル導入用の切り欠き部２ｆを通じて、入力側からの光ケーブル１００がファイバトレイ３内に入ってきた後、簡易コード化部材１０（第１の凹部Ｓ１１）を経て、第２の凹部Ｓ１２で、放送系の光ファイバ１００Ａと通信系の光ファイバ１００Ｂとは別々に分かれる。
【００３８】
放送系の光ファイバ１００Ａ（図６の実線参照）は、ファイバトレイ３上の第２の巻き付け部１２（第１の部分１２Ａ及び第２の部分１２Ｂ）の周囲を一周した後、案内凹部２１によって案内されて、開口３ｆを通じて光受信増幅部６の光中継用アダプタ６ａに向かう。
【００３９】
このように、第１及び第２の巻き付け部１１，１２の間に形成された案内凹部２１によって、それら両巻き付け部１１，１２の間に巻き付けられた光ファイバ１００Ａ，１００Ｂより下側位置で開口３ｆに案内することで、スペース（第１及び第２の巻き付け部１１，１２の間のスペース）を有効に利用して、光ファイバ１００Ａ，１００Ｂの余長部分と干渉することなく、光受信増幅部６の光中継用アダプタ６ａに、光ファイバ１００Ａの端部の光コネクタ１００ａを接続することができる。よって、無理なく、光受信機１において光ファイバ１００Ａ，１００Ｂの余長処理と終端処理との両立が図れる。
【００４０】
また、第１及び第２の巻き付け部１１，１２の間において、放送系の光ファイバ１００Ａの光コネクタ１００ａを下側に案内して光受信増幅部６の光中継用アダプタ６ａに接続できるようにしているので、光コネクタ１００ａを光中継用アダプタ６ａに接続するための特別なスペースをファイバトレイ３に設ける必要がない。
【００４１】
特に、案内凹部２１は、第１の巻き付け部１１と第２の巻き付け部１２との中心を結ぶ線に対して傾斜して、第２の巻き付け部１２の接線方向に延びるように光ファイバ１００Ａが配置されているので、光ファイバ１００Ａに無理な曲げ力を作用させることなく、終端処理ができる。また、第２の巻き付け部１２の接線方向に延びるように光ファイバ１００Ａを配置しているので、その終端処理に必要な光ファイバ１００Ａの長さも短くてよい。
【００４２】
一方、通信系の光ファイバ１００Ｂ（図６の破線参照）は、第２の巻き付け部１２から第３の保持部１８の、接続具１０２を経て、第１の巻き付け部１１から第２の巻き付け部１２を経て、余長収納部Ｓ２内を一周した後に、案内凹部２１の上を通り、案内部２２を経て、通信系の出力ケーブルとして外部に導出されることになる。
【００４３】
この場合、通信系の光ファイバ１００Ｂは、光ファイバ１００Ａの余長部分や終端部分の上側を通って外部に案内されるので、その余長部分や終端部分と干渉することなく、光受信機１から外部に導き出される。
【００４４】
それに加えて、通信系の光ファイバ１００Ｂが導き出される部分の両側に設けられる水平リブ３２，３３は、光ファイバ１００Ｂの浮き上がりを規制するために他の部分に設けられる水平リブ３１、３４〜４９よりも低い位置に設けられているので、通信系の光ファイバ１００Ｂは、外部への導出部分において他の光ファイバと干渉することなく、外部に光ケーブルとして導き出されるようになっている。
【００４５】
以上説明した光受信機１において、余長収納部Ｓ２に収納される光ファイバ１００Ａの先端に設けた光コネクタ１００ａを光受信増幅部６の光中継用アダプタ６ａに着脱可能に接続することにより、光受信増幅部６に光信号を導入するようにしている。これにより、故障などにより光受信増幅部６を交換する必要性が生じた場合、光中継用アダプタ６ａから光コネクタ１００ａを外すことによりファイバトレイ３に形成されている余長収納部Ｓ２に光ファイバ１００Ａ，１００Ｂの余長部分を収納したままで、ファイバトレイ３を取り外して光受信増幅部６を交換することができるようになる。
【００４６】
前記実施の形態においては、第２の巻き付け部１２のみ、２つの巻き付け部（第１の部分１２Ａと第２の部分１２Ｂ）で構成されるようにしているが、本発明はそれに限定されるものではなく、第１の巻き付け部１１も、第２の巻き付け部と同様に、接近して配置される２つの巻き付け部（第１の部分１２Ａ及び第２の部分１２Ｂに相当する第１の部分及び第２の部分）で構成することも可能である。この場合には、２つの巻き付け部の間に、２つの中間巻き付け部が配置されることになり、ファイバトレイ上に４つの巻き付け部が配置されることになる。
【図面の簡単な説明】
【００４７】
【図１】本発明に係る光受信機の分解斜視図である。
【図２】同光受信機のカバーが開放された状態の側面図である。
【図３】同光受信機のファイバトレイ及びケーシングカバーを取り外した状態を示す平面図である。
【図４】図３のIV-IV線における断面図である。
【図５】本発明に係る一実施の形態であるファイバトレイの平面図である。
【図６】光ファイバの引き回しの一例を示す説明図である。
【符号の説明】
【００４８】
１    光受信機
３    ファイバトレイ
３ｆ    開口
５    電源部
６    光受信増幅部
６ａ    光中継用アダプタ
１１    第１の巻き付け部
１２    第２の巻き付け部
２１    案内凹部
２２    案内部
３１〜４５，４６〜４９    水平リブ
１００    光ケーブル
１００ａ    光コネクタ
１００Ａ    放送系の光ファイバ
１００Ｂ    通信系の光ファイバ
【図１】
2006119238.tif 000003
【図２】
2006119238.tif 000004
【図３】
2006119238.tif 000005
【図４】
2006119238.tif 000006
【図５】
2006119238.tif 000007
【図６】
2006119238.tif 000008